(57)【要約】      （修正有）【課題】作業を簡素化し、さらに、費用を抑制しつつ意匠性を向上させることができるい草を用いた物品を提供する。【解決手段】複数のい草２０を、複数の連結糸２１を用いて織りなすことにより形成される本体を有し、連結糸２１は、軸方向に沿って所定間隔置きに色が変化するように着色されてなり、複数のい草２０を、複数の連結糸２１を用いて織りなすことにより本体を形成する際に、連結糸２１の着色パターンが、該連結糸２１同士でずれることにより、本体にランダムな模様を形成するようにしている。【選択図】図１
0003233540.tif 000002
【実用新案登録請求の範囲】
【請求項１】
複数のい草を、複数の連結糸を用いて織りなすことにより形成される本体を有し、
前記連結糸は、軸方向に沿って所定間隔置きに色が変化するように着色されてなり、
前記複数のい草を、前記複数の連結糸を用いて織りなすことにより前記本体を形成する際、該連結糸の着色パターンが、該連結糸同士でずれることにより、該本体にランダムな模様を形成するようにしてなるい草を用いた物品。
【考案の詳細な説明】
【技術分野】
【０００１】
本考案は、い草を用いた物品に関する。
【背景技術】
【０００２】
い草を用いた物品として、例えば、特許文献１に記載のものが知られている。特許文献１に記載の物品は、異なる色のい草同士を製織することで模様の経年変化による変色や退色を自然で違和感がないようにするというものである。
【先行技術文献】
【特許文献】
【０００３】
【特許文献１】実登３１２１４４２号公報
【考案の概要】
【考案が解決しようとする課題】
【０００４】
しかしながら、このようない草を用いた物品は、意匠性を向上させようとすると、上記特許文献１に記載のように、い草自体を着色させる方法しかなかった。そのため、改善の余地があるという問題があった。
【０００５】
そこで、本考案は、上記問題に鑑み、作業を簡素化し、さらに、費用を抑制しつつ意匠性を向上させることができるい草を用いた物品を提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１のい草を用いた物品によれば、複数のい草（２０）を、複数の連結糸（２１）を用いて織りなすことにより形成される本体（２）を有し、
前記連結糸（２１）は、軸方向に沿って所定間隔置きに色が変化するように着色されてなり、
前記複数のい草（２０）を、前記複数の連結糸（２１）を用いて織りなすことにより前記本体（２）を形成する際、該連結糸（２１）の着色パターンが、該連結糸（２１）同士でずれることにより、該本体（２）にランダムな模様を形成するようにしてなることを特徴としている。
【考案の効果】
【０００８】
次に、本考案の効果について、図面の参照符号を付して説明する。なお、括弧内は、後述する実施形態の参照符号を付したものであるが、本考案はこれに限定されるものではない。
【０００９】
請求項１の考案によれば、連結糸（２１）は、軸方向に沿って所定間隔置きに色が変化するように着色されている。そしてそのような複数のい草（２０）を、複数の連結糸（２１）を用いて織りなすことにより本体（２）を形成する際、連結糸（２１）の着色パターンが、連結糸（２１）同士でずれることにより、本体（２）にランダムな模様を形成するようにしている。しかるに、本考案によれば、連結糸（２１）を着色し、複数のい草（２０）を、複数の連結糸（２１）を用いて織りなすだけでランダムな模様を形成することができる。これにより、作業を簡素化し、さらに、費用を抑制しつつ意匠性を向上させることができる。
【図面の簡単な説明】
【００１０】
【図１】本考案の一実施形態に係るい草を用いた物品の分解斜視図である。
【図２】（ａ）は同実施形態に係るい草を用いた物品の斜視図、（ｂ）は（ａ）に示すＸ−Ｘ線断面図である。
【図３】同実施形態に係る連結糸の拡大斜視図である。
【図４】同実施形態に係るい草を用いた物品の一部拡大平面図である。
【考案を実施するための形態】
【００１１】
以下、本考案の一実施形態を、図面を参照して具体的に説明する。なお、以下の説明において、上下左右の方向を示す場合は、図示正面から見た場合の上下左右をいうものとする。
【００１２】
本実施形態においては、図２に示すように、い草を用いた物品１として、い草製マットを例示している。以下では、このい草製マットを例として説明することとする。
【００１３】
い草を用いた物品１は、図１に示すように、本体２と、その本体２の裏面側に貼着された裏貼シート３と、本体２及び裏貼シート３の周縁に接合される縁取り部材４と、で構成されている。以下、各構成ついて詳しく説明することとする。
【００１４】
＜本体の説明＞
本体２は、図２（ａ）に示すように矩形状に形成されており、図１に示すように、い草２０を緯糸とし、連結糸２１を経糸として、これらが織りをなして形成されるものである。このい草２０は、冬苗を水田に植えて、夏に刈取る多年生の草本類であり、刈り取って水洗いした後、温風乾燥機で乾燥させることで得たものである。そして、このようない草２０は、所定装置を用いて適宜カットされることによって、図１に示すように、細長い棒状に形成されることとなる。なお、このようない草２０は、着色していても良いし、着色していなくても良い。
【００１５】
一方、連結糸２１は、例えば、綿、ポリエステル、アクリル、ナイロン、レーヨン、ウール、ポリプロピレン（ＰＰ）等を用いて形成されており、図３に示すように、縦長棒状に形成されると共に、軸方向に沿って所定間隔置きに色が変化するように着色されている。具体的には、図３に示すように、この連結糸２１は、互いに色が異なる、第１着色部２１ａ、第２着色部２１ｂ、第３着色部２１ｃ、第４着色部２１ｄが軸方向に沿って順に配置されており、軸方向に沿って色が変化した構成となっている。なお、この連結糸２１は、４色で着色されているが、例えば、３色や、或いは、５色以上で着色しても良い。また、着色する色としては、例えば、白、黒、茶、赤、橙、黄、緑、青、紫、金、銀、灰、ピンク、シアン、マゼンダや、それ以外の色等、適宜選択することができる。
【００１６】
かくして、このように構成される本体２は、図１及び図２（ａ）に示すように、緯糸（横糸）として、細長い棒状に形成されている複数のい草２０を、所定間隔をあけて並列配置すると共に、経糸（縦糸）として、縦長棒状に形成されている複数の連結糸２１を、各い草２０に直交するように所定間隔をあけて並列配置する。そして、このように並列配置した複数のい草２０と複数の連結糸２１とを交互に浮き沈みさせて織る、いわゆる平織をすることで形成されることとなる。この点、より詳しく説明すると、図１に示すように、複数のい草２０に対して、所定位置の連結糸２１を、上方、下方、上方、下方となるように繰り返して編み（図２（ｂ）参照）、もって、このような編みパターンをい草２０の軸方向に沿って交互に繰り返すことで、図１及び図２（ａ）に示すような本体２が形成されることとなる。
【００１７】
しかして、このように本体２が形成されると、図４に示すように、隣接する連結糸２１同士の着色パターンがずれるようになっている。これにより、本体２にランダムな模様が形成されることとなる。
【００１８】
＜裏貼シートの説明＞
裏貼シート３は、本体２を構成する連結糸２１のほつれを防止したり、本体２の滑り止めを図ったりするものであり、例えば、不織布、三次元立体編物、綿布、ＥＶＡ（エチレン酢酸ビニル）系のシート、ガーゼ、ＰＶＣ（ポリ塩化ビニル）系のシート、ＴＰＲ（熱可塑性ゴム）系のシート等にて形成されている。そして、このような裏貼シート３は、図１に示すように、本体２に適合するサイズに形成されるように矩形状に形成されている。しかして、このように形成される裏貼シート３は、図２（ｂ）に示すように、接着剤や両面テープ、熱溶着等によって、本体２の裏面側に貼着されることとなる。
【００１９】
＜縁取り部材の説明＞
縁取り部材４は、例えば、綿、ポリエステル、麻、麻混在、ポリプロピレン等にて形成され、図２（ｂ）に示すように、断面視Ｕ字状に形成されてなるものである。しかして、このように形成される縁取り部材４は、本体２の裏面側に裏貼シート３を貼着した状態で、それらの縁部を挟み込んで、図示しない縫合糸や、接着剤、ピン等によって、接合されるようになっている。
【００２０】
しかして、以上説明した本実施形態によれば、連結糸２１は、軸方向に沿って所定間隔置きに色が変化するように着色されている。そしてそのような複数のい草２０を、複数の連結糸２１を用いて織りなすことにより本体２を形成する際、連結糸２１の着色パターンが、連結糸２１同士でずれることにより、本体２にランダムな模様を形成するようにしている。しかるに、本実施形態によれば、連結糸２１を着色し、複数のい草２０を、複数の連結糸２１を用いて織りなすだけでランダムな模様を形成することができる。これにより、作業を簡素化し、さらに、費用を抑制しつつ意匠性を向上させることができる。
【００２１】
なお、本実施形態において示した形状等はあくまで一例であり、実用新案登録請求の範囲内において、種々の変形・変更が可能である。例えば、本実施形態においては、い草を用いた物品１として、い草製マットを例示したが、それに限らず、座布団や、クッション、ござ、ラグ等い草を用いた物品であれば、どのようなものにも適用可能である。
【００２２】
また、本実施形態においては、い草を用いた物品１として、矩形状を例示したが、それに限らず、円形状、楕円状、菱形等どのような形状でも良い。
【００２３】
また、本実施形態においては、複数のい草２０と、複数の連結糸２１との織り方として、平織を例示したが、それに限らず、綾織、繻子織等どのような織り方でも良い。
【符号の説明】
【００２４】
１      い草を用いた物品
２      本体
３      裏貼シート
４      縁取り部材
２０    い草
２１    連結糸
２１ａ  第１着色部
２１ｂ  第２着色部
２１ｃ  第３着色部
２１ｄ  第４着色部
【図１】
0003233540.tif 000003
【図２】
0003233540.tif 000004
【図３】
0003233540.tif 000005
【図４】
0003233540.tif 000006